(57)【要約】      （修正有）【課題】バナー幕のエッジの形状と、文字デザインや図形デザインとの関係を見直すことにより、バナー幕に描かれた文字デザインや図形デザインを明確に視認しやすいように訴求力を向上せしめたバナー幕を提供する。【解決手段】バナー幕１００の基本形状をなすベースデザイン部分１１０と、そのベースデザイン部分１１０の基本形状の輪郭とは異なり、少なくとも外方の輪郭線が文字または図形のデザインのエッジに沿った輪郭線を持つ外方強調デザイン部分１２０と、バナー幕１００を支持掲揚するための支持部１４０を備えている。ベースデザイン部分１１０の輪郭と外方強調デザイン部分１２０の輪郭を合せて形成される合成輪郭線に沿ってエッジ１３０を断ち切り処理する。このことにより文字デザインや図形デザインの輪郭線を強調し、あたかも飛び出しているような視覚効果を得る。【選択図】図１
0003186167.tif 000002
【実用新案登録請求の範囲】
【請求項１】
のぼり旗用のバナー幕であって、
前記バナー幕の基本形状の輪郭内のデザインをなすベースデザイン部分と、
前記ベースデザイン部分の基本形状の輪郭とは異なり、少なくとも外方の輪郭線が文字または図形のデザインのエッジに沿った輪郭線を持つ外方強調デザイン部分と、
前記バナー幕を支持掲揚するための支持部を備え、
前記ベースデザイン部分の輪郭と前記外方強調デザイン部分の輪郭を合せて形成される合成輪郭線に沿ってエッジを断ち切りしたことを特徴とするバナー幕。
【請求項２】
前記バナー幕の素材が熱可塑性樹脂を含むものであり、
前記バナー幕の前記合成輪郭線のエッジ断ち切り処理を、熱切断処理にて行い、前記エッジ断ち切り処理後の切断面を熱溶融固化して形成した請求項１に記載のバナー幕。
【請求項３】
前記バナー幕の前記合成輪郭線に沿って、熱可塑性樹脂のパウダーを載せ置いて、前記合成輪郭線のエッジ断ち切り処理を熱切断処理にて行い、前記エッジ断ち切り処理後の切断面を熱溶融固化して形成した請求項１に記載のバナー幕。
【請求項４】
前記バナー幕の前記合成輪郭線に沿って、熱可塑性樹脂のフィルムを載せ置いて、前記合成輪郭線のエッジ断ち切り処理を熱切断処理にて行い、前記エッジ断ち切り処理後の切断面を熱溶融固化して形成した請求項１に記載のバナー幕。
【請求項５】
前記熱切断処理が、レーザー照射による加熱切断処理であることを特徴とする請求項２から４のいずれか１項に記載のバナー幕。
【請求項６】
前記熱切断処理が、ヒートカッターによる加熱切断処理であることを特徴とする請求項２から４のいずれか１項に記載のバナー幕。
【請求項７】
前記熱切断処理が、マイクロ波照射による加熱切断処理であることを特徴とする請求項２から４のいずれか１項に記載のバナー幕。
【請求項８】
前記熱切断処理が、高周波振動カッターによる切断とその際に発生する摩擦熱による加熱処理であることを特徴とする請求項２から４のいずれか１項に記載のバナー幕。
【考案の詳細な説明】
【技術分野】
【０００１】
本考案は、各種店舗や街頭での広告宣伝目的などで使用されるバナー幕に関する。特に、バナー幕のデザイン中における一部の文字デザインや図形デザインを大きく強調し、訴求力を向上せしめたバナー幕に関する。ここで、バナー幕としては、のぼり旗の幕布、吊り旗の幕布、暖簾の幕布、横断幕の幕布、懸垂幕の幕布、引き幕の幕布、日除け幕の幕布、襷の幕布など、各種の旗類や幕類を含むものである。
【背景技術】
【０００２】
一般にのぼり旗は、布地から形成された矩形などの基本形状を持つバナー幕をのぼり旗竿に取り付けて、各種店舗や街頭などに据え付けて広告宣伝目的に用いられる。
【０００３】
図６は従来ののぼり旗の構成を簡単に示す図である。図６に示すように、バナー幕（１）の表面全域には、広告などの各種デザインが印刷された印刷部分（２）が印刷されている。さらに、バナー幕（１）の一方の側辺と上辺の部分には、バナー幕（１）を掲揚器具に取り付けるための輪（３）が所定間隔毎に複数逢着されている（特許文献１）。
【０００４】
のぼり旗は、宣伝広告目的等に使用するものであるため、バナー幕（１）の印刷部分（２）に表示される文字デザインや図形デザインなどは、目立つように明確に視認されることが重要である。
バナー幕（１）のデザインは、宣伝広告効果を大きくするため、様々に工夫されている。例えば、カラーを多用する、字を大きくする、字に強調線を入れる、キャラクターを書き込むなど様々な工夫が施されている。
【０００５】
【特許文献１】特開２００１−１８８４９２号
【考案の開示】
【考案が解決しようとする課題】
【０００６】
しかしながら、従来ののぼり旗に使用されているバナー幕（１）は、矩形などの基本形状をしており、物理的にその矩形内に収まるを得ず、その矩形内での文字デザイン、図形デザインとなっている。このように所定の枠内に収まるように描かれた文字デザインや図形デザインは、条件次第によっては、いわゆる小ぢんまりと見えてしまい、訴求力が十分に発揮できない場合もあり得る。
そのために、宣伝広告目的を十分に果たすために、バナー幕に描かれた文字デザインや図形デザインを如何に印象付けて訴求力を向上させるかが重要な課題となる。
【０００７】
一方、のぼり旗に取り付けられるバナー幕は、店舗前や街角に設置されるため、常に屋外環境に晒されている。つまり、風雨に晒される上、通行人や運搬物との衝突など傷みやすい環境にある。そのため、バナー幕の端部の断ち切りエッジ付近から所謂“ほつれ”が生じやすい。バナー幕の端部から一度“ほつれ”が生じると“ほつれ”が連鎖して拡大してゆき、バナー幕の劣化が進んでしまう。このような“ほつれ”は断ち切りのエッジが複雑になるほど生じやすいものである。
そのため、バナー幕のエッジの“ほつれ”などを生じにくくし、如何にバナー幕の劣化を抑制するかが重要な課題となる。
【０００８】
そこで、上記問題に鑑み、本考案は、バナー幕のエッジの形状と、文字デザインや図形デザインとの関係を見直すことにより、バナー幕に描かれた文字デザインや図形デザインを明確に視認しやすいように訴求力を向上せしめたバナー幕を提供することを目的とする。
また、本考案は、バナー幕のエッジに対する加工により、バナー幕のエッジ部分の“ほつれ”を生じにくくし、エッジ部分の劣化を抑制するバナー幕を提供することを目的とする。
【課題を解決するための手段】
【０００９】
上記目的を達成するため、本考案に係るのぼり旗用のバナー幕は、前記バナー幕の基本形状の輪郭内のデザインをなすベースデザイン部分と、前記ベースデザイン部分の基本形状の輪郭とは異なり、少なくとも外方の輪郭線が文字または図形のデザインのエッジに沿った輪郭線を持つ外方強調デザイン部分と、前記バナー幕を支持掲揚するための支持部を備え、前記ベースデザイン部分の輪郭と前記外方強調デザイン部分の輪郭を合せて形成される合成輪郭線に沿ってエッジを断ち切りしたことを特徴とするバナー幕である。
上記構成により、バナー幕のベースデザイン部分は矩形形状などであるが、その基本であるベースデザイン部分の輪郭に対して、外方強調デザイン部分の輪郭を外方に強調して設けた輪郭とし、それらを合わせた合成輪郭線でエッジを断ち切りするため、強調したい文字デザインや図形デザインをあたかも枠から飛び出すように見せる一種の視覚効果が得られ、デザインの具合いによっては立体視の効果も得られることもある。
【００１０】
上記構成のように、エッジを合成輪郭線で断ち切った場合、エッジの形状が単なる直線ではなく多少複雑な輪郭になることが想定される。そこで、本考案のバナー幕において、エッジの“ほつれ”が生じにくいように下記の工夫を盛り込むことができる。
【００１１】
第１の工夫は、バナー幕の素材が熱可塑性樹脂を含むものとし、バナー幕の合成輪郭線のエッジ断ち切り処理を、熱切断処理にて行い、エッジ断ち切り処理後の切断面を熱溶融固化して形成する工夫である。
上記構成により、エッジの断ち切りが単なる布地の断ち切りではなく、熱溶融固化して固まったものとなり、いわゆる布地の繊維を途中で切断したものではなく、複雑な形状にてエッジを断ち切りしつつも、エッジが固化して新たな端面となった状態となるため、“ほつれ”が生じにくくなる。
【００１２】
第２の工夫は、バナー幕の素材は布地等、特に限定しないが、バナー幕のエッジ切断の前に、エッジの合成輪郭線に沿って熱可塑性樹脂のパウダーを載せ置いた後、合成輪郭線のエッジ断ち切り処理を熱切断処理にて行い、エッジ断ち切り処理後の切断面を熱溶融固化して形成する工夫である。
上記構成により、バナー幕の素材が単なる布地であったとしても、合成輪郭線のエッジは、熱処理により熱可塑性樹脂のパウダーが熱溶融して固化して固まったものとなり、複雑な形状にてエッジを断ち切りしつつも、エッジが熱可塑性樹脂の固化により新たな端面となった状態となるため、“ほつれ”が生じにくくなる。
【００１３】
第３の工夫は、バナー幕の素材は布地等、特に限定しないが、バナー幕のエッジ切断の前に、エッジの合成輪郭線に沿って熱可塑性樹脂のフィルムを載せ置いた後、合成輪郭線のエッジ断ち切り処理を熱切断処理にて行い、エッジ断ち切り処理後の切断面を熱溶融固化して形成する工夫である。
上記構成により、バナー幕の素材が単なる布地であったとしても、合成輪郭線のエッジは、熱処理により熱可塑性樹脂のフィルムが熱溶融して固化して固まったものとなり、複雑な形状にてエッジを断ち切りしつつも、エッジが熱可塑性樹脂の固化により新たな端面となった状態となるため、“ほつれ”が生じにくくなる。
【００１４】
なお、熱切断処理の手段としては、レーザー照射による加熱切断処理、ヒートカッターによる加熱切断処理、マイクロ波照射による加熱切断処理、高周波振動カッターによる切断とその際に発生する摩擦熱による加熱処理などが適用できる。
【考案の効果】
【００１５】
本考案のバナー幕は、矩形などの基本形状であるベースデザイン部分の輪郭に対して、外方強調デザイン部分の輪郭を外方に強調して設けた輪郭とし、それらを合わせた合成輪郭線でエッジを断ち切りするため、強調したい文字デザインや図形デザインをあたかも枠から飛び出すように見せる一種の視覚効果が得られ、デザインの具合いによっては立体視の効果も得られることもある。
また、本考案のバナー幕はエッジの断ち切りに工夫をしているため、合成輪郭線が複雑な輪郭線となっても“ほつれ”が生じにくいエッジとすることができ、バナー幕の劣化などが発生しにくい耐久性の大きなバナー幕とすることができる。
【考案を実施するための最良の形態】
【００１６】
以下、図面を参照しつつ、本考案にかかる宣伝広告目的用のバナー幕の実施形態を説明する。ただし、本考案の技術的範囲は以下の実施形態に示した具体的な用途や形状・寸法などには限定されない。
また、バナー幕としては、のぼり旗の幕布、吊り旗の幕布、暖簾の幕布、横断幕の幕布、懸垂幕の幕布、引き幕の幕布、日除け幕の幕布、襷の幕布など、各種の旗類や幕類を含むものとして説明する。
実施例として以下の順に述べる。
実施例１は、バナー幕が熱可塑性樹脂を含む素材であり、バナー幕自体に含まれている熱可塑性樹脂のカット固化によりエッジの形成を行う実施例である。
実施例２は、バナー幕として素材は特に限定しないが、熱可塑性樹脂のパウダーを利用してエッジの形成を行う実施例である。
実施例３は、バナー幕として素材は特に限定しないが、熱可塑性樹脂のフィルムを利用してエッジの形成を行う実施例である。
【実施例１】
【００１７】
実施例１は、熱可塑性樹脂を含む素材によりバナー幕を構成した実施例である。
図１は実施例１にかかる本考案を適用したバナー幕１００の構成例を示す図である。
図１に示すように、バナー幕１００は、ベースデザイン部分１１０、外方強調デザイン部分１２０、合成輪郭線に沿ったエッジ部１３０、支持部１４０を備えた構成となっている。
【００１８】
本発明のバナー幕１００としては、その素材は、特に限定されず、どのような布であっても良い。つまり、布の材料の繊維としては、天然繊維、合成繊維のいずれであっても良い。また、その繊維を布に形成する手段で分類した場合、不織布、織物布、編物布のいずれであっても良い。
【００１９】
この実施例１では、バナー幕１００のエッジの形成処理を、熱切断処理の例とし、バナー幕１００の素材が熱可塑性樹脂を含む布を例として説明する。
ここで、熱可塑性樹脂を含む布とは、布全体が熱可塑性樹脂で形成されたもの、例えば、共重合ポリエステル繊維、ナイロン繊維、アクリル合成繊維などがある。また、布全体が熱可塑性樹脂ではなく、一部に熱可塑性樹脂を含む場合もあり得る。例えば、布自体は麻布であり、その麻布に熱可塑性樹脂を含浸させる加工を施した布や、布自体は綿布であり、その綿布に熱可塑性樹脂を塗布する表面加工を施した布などがある。このように熱可塑性樹脂を含む布であれば、後述するように熱切断処理すれば、布基材を切断しつつ熱可塑性樹脂が熱溶融して一旦溶け、その後に冷却されて固化することによりエッジを形成することができる。
この実施例１では、バナー幕布全体がポリエステル樹脂で形成されている例とする。
【００２０】
ベースデザイン部分１１０は、バナー幕１００の基本形状の輪郭内のデザインをなす部分である。ベースデザイン１１０の形状は特に限定されず、どのような形状でも良いが、外方強調デザイン部分１２０との関係において、外方に突出している感覚を強調するためには、ベースデザイン部分１１０の輪郭が、外方強調デザイン部分１２０の輪郭線とは異なるシンプルな輪郭線であることが好ましい。
図１に示す例では、ベースデザイン部分１１０が矩形となっている。
【００２１】
外方強調デザイン部分１２０は、ベースデザイン部分１１０の基本形状の輪郭とは異なり、少なくとも外方の輪郭線が文字または図形のデザインのエッジに沿った輪郭線を持つ部分である。外方強調デザイン部分１２０の形状は特に限定されず、どのような形状でも良いが、ベースデザイン部分１１０との関係において、外方に突出している感覚を強調するためには、外方強調デザイン部分１２０の輪郭線が、ベースデザイン部分１１０の輪郭線から外方に突出していたり、逆に内側に向けて切れ込みが入っていたりなどの輪郭線であり、文字デザインや図形デザインの視認性が高くなるように配置を工夫することが好ましい。
図１に示す例では、外方強調デザイン部分１２０が“１円”というデザイン文字とパチンコ玉の図形デザインとなっている。
【００２２】
エッジ部１３０は、ベースデザイン部分１１０の輪郭と外方強調デザイン部分１２０の輪郭を合せて形成される合成輪郭線に沿って断ち切りして形成した部分である。
ここで、合成輪郭線とは、ベースデザイン部分１１０の輪郭と外方強調デザイン部分１２０の輪郭を合せて形成される合成輪郭線である。
図２は、ベースデザイン部分１１０の輪郭と外方強調デザイン部分１２０の輪郭を合せた合成輪郭線を簡単に説明する図である。この例では、図２（ａ）に示すように、ベースデザイン部分１１０の輪郭線と、“１円”というデザイン文字とパチンコ図形となっている外方強調デザイン部分１２０の輪郭線の２つが重ね合わされて、図２（ｂ）に示すように、重畳された２つの合成デザインにおける外周を囲む輪郭線を合成輪郭線として形成する。後述するように、この合成輪郭線に沿って切断処理することとなる。
【００２３】
エッジ部１３０は、合成輪郭線に沿ってバナー幕１００を切断して形成したエッジであるが、その切断方法は特に限定されない。もっともシンプルには鋏によって手作業で切断しても良い。この実施例１での構成例では熱切断処理とする。
【００２４】
熱切断処理とは、加熱手段で所定の熱を合成輪郭線に沿って当ててバナー幕１００を切断する処理である。一例としては、レーザー照射による加熱切断処理がある。また、他の例としては、ヒートカッターによる加熱切断処理がある。さらに他の例としては、マイクロ波照射による加熱切断処理、さらには、高周波振動カッターによる切断とその際に発生する摩擦熱による加熱処理などがある。
この実施例１では、レーザー照射による加熱処理とする。この実施例１では、バナー幕布全体がポリエステル樹脂で形成されている例であるので、レーザーが合成輪郭線に沿って移動しながら照射されて行くと、レーザー照射による熱が加わった箇所には局所的に熱が生じ、当該部分のポリエステル樹脂を瞬間的に熱溶融させる。
【００２５】
図３は、レーザー照射による熱切断処理が行われてエッジが形成される様子を簡単に示す図である。図３（ａ）に示すように、レーザー照射による熱が加わった箇所には局所的に熱が生じ、当該部分のポリエステル樹脂が瞬間的に熱溶融する。
【００２６】
そしてレーザー照射位置が移動してゆくと、レーザー光線が通過した箇所は、図３（ｂ）に示すように、熱溶融していた熱可塑性樹脂であるポリエステル樹脂が冷却され、ポリエステル樹脂が固化して形成されたエッジの断ち切りとなる。エッジの断ち切り部分の断面は、繊維を切断した場合とは異なり、溶融固化したポリエステル樹脂が新たな端面として形成されるため、いわゆる“ほつれ”などの繊維質が飛び出ているような跡形にはならない。
【００２７】
なお、この実施例１のバナー幕１００のベースデザイン部分１１０は矩形であるが、用意したバナー幕１００の材料の形状が当該矩形であれば、ベースデザイン部分１１０に関しては最初から切断されている訳であるので、ベースデザイン部分１１０の輪郭線は熱切断処理する必要がない。
【００２８】
以上のように熱切断処理されたバナー幕１００は、図１に示すように、ベースデザイン部分１１０に対して“１円”という文字デザインについてその輪郭線をなぞるようにエッジが切断されており、その“１円”という文字デザインの特に外方に位置する輪郭線が強調されており、一見、あたかも立体的に描かれている文字デザインであるような視覚効果も得られている。
作成されたバナー幕１００は、支持部１４０を介してポールなどの掲揚装置に対して取り付けられる。
【実施例２】
【００２９】
実施例２は、熱切断処理として、バナー幕の合成輪郭線に沿って、熱可塑性樹脂のパウダー１５０を載せ置いて合成輪郭線のエッジ断ち切り処理をする例である。
実施例２にかかるバナー幕１００は、素材としては、特に限定されず、どのような布であっても良い。熱可塑性樹脂のパウダー１５０を載せ置いて熱切断処理するため、特に、バナー幕１００自体が熱可塑性樹脂でなくとも良いが、もちろん、バナー幕１００自体も熱可塑性樹脂としても良い。
【００３０】
図４は、実施例２におけるバナー幕１００の熱切断処理を簡単に示す図である。熱切断処理に先立ち、図４（ａ）に示すように、バナー幕の合成輪郭線に沿って、熱可塑性樹脂のパウダーを載せ置いておく。図４（ａ）では便宜上、熱可塑性樹脂パウダーの下にある合成輪郭線を点線で示している。
熱可塑性樹脂のパウダー１５０としては、ポリアミド樹脂のパウダーや、ポリエステル樹脂パウダーなどでも良い。ここでは、一例として、ポリアミド樹脂のパウダーとする。
【００３１】
このように熱可塑性樹脂のパウダー１５０をバナー幕の合成輪郭線に沿って熱可塑性樹脂のポリアミド樹脂パウダー１５０を載せ置いた状態で、熱切断処理を行うと、図４（ｂ）に示すように、レーザー照射による熱が加わった箇所には局所的に熱が生じ、当該部分のバナー幕１００が切断されるとともに、そこに載せ置かれたポリアミド樹脂パウダー１５０が瞬間的に熱溶融する。
【００３２】
そしてレーザー照射位置が移動してゆくと、図４（ｃ）に示すように、熱溶融していた箇所が冷却され、溶融していたポリアミド樹脂が固化してエッジの断ち切りが形成される。エッジの断ち切り部分の断面は、繊維を切断した場合とは異なり、溶融固化したポリアミド樹脂により被覆され、新たな端面として形成されるため、いわゆる“ほつれ”などの繊維質が飛び出ているような跡形にはならない。
【００３３】
以上のように熱切断処理されたバナー幕１００は、実施例１に示した図１と同様の出来栄えとなる。図１に示したように、ベースデザイン部分１１０に対して“１円”という文字デザインについてその輪郭線をなぞるようにエッジが切断されており、その“１円”という文字デザインが強調されており、一見、あたかも立体的に描かれている文字デザインであるような視覚効果も得られている。
【実施例３】
【００３４】
実施例３は、熱切断処理として、バナー幕の合成輪郭線に沿って、熱可塑性樹脂のフィルム１６０を載せ置いて合成輪郭線のエッジ断ち切り処理をする例である。
実施例３にかかるバナー幕１００は、素材としては、特に限定されず、どのような布であっても良い。熱可塑性樹脂のフィルム１６０を載せ置いて熱切断処理するため、特に、バナー幕１００自体が熱可塑性樹脂でなくとも良いが、もちろん、バナー幕１００自体も熱可塑性樹脂としても良い。
【００３５】
図５は、実施例３におけるバナー幕１００の熱切断処理を簡単に示す図である。熱切断処理に先立ち、図５（ａ）に示すように、バナー幕１００の合成輪郭線に沿って、熱可塑性樹脂のフィルム１６０を載せ置いておく。
なお、熱可塑性樹脂のフィルム１６０をバナー幕１００の合成輪郭線に沿って載せ置くため、熱可塑性樹脂のフィルム１６０を合成輪郭線に沿うようにあらかじめカットして載せておくことが好ましい。
【００３６】
熱可塑性樹脂のフィルム１６０としては、ポリアミド樹脂のフィルムや、ポリエステル樹脂フィルムなどでも良い。ここでは、一例として、ポリエステル樹脂フィルムとする。
このように熱可塑性樹脂フィルム１６０をバナー幕１００の合成輪郭線に沿って熱可塑性樹脂フィルムを１６０載せ置いた状態で、熱切断処理を行うと、図５（ｂ）に示すように、レーザー照射による熱が加わった箇所には局所的に熱が生じ、当該部分のバナー幕１００が切断されるとともに、そこに載せ置かれた熱可塑性樹脂フィルム１６０が瞬間的に熱溶融する。
【００３７】
そしてレーザー照射位置が移動してゆくと、図５（ｃ）に示すように、熱溶融していた箇所が冷却され、溶融していた熱可塑性樹脂が固化してエッジの断ち切りが形成される。エッジの断ち切り部分の断面は、繊維を切断した場合とは異なり、溶融・固化した熱可塑性樹脂により被覆され、新たな端面として形成されるため、いわゆる“ほつれ”などの繊維質が飛び出ているような跡形にはならない。
【００３８】
以上のように熱切断処理されたバナー幕１００は、実施例１に示した図１と同様の出来栄えとなる。図１と同様に、ベースデザイン部分１１０に対して“１円”という文字デザインについてその輪郭線をなぞるようにエッジが切断されており、その“１円”という文字デザインが強調されており、一見、あたかも立体的に描かれている文字デザインであるような視覚効果も得られている。
【００３９】
以上、本考案のバナー幕における好ましい実施例を図示して説明してきたが、本考案の技術的範囲を逸脱することなく種々の変更が可能であることは理解されるであろう。
【産業上の利用可能性】
【００４０】
本考案は、バナー幕に適用可能である。ここで言うバナー幕としては、のぼり旗の幕布、吊り旗の幕布、暖簾の幕布、横断幕の幕布、懸垂幕の幕布、引き幕の幕布、日除け幕の幕布、襷の幕布など、各種の旗類や幕類を含むものである。
【図面の簡単な説明】
【００４１】
【図１】実施例１にかかる本考案を適用したバナー幕１００の構成例を示す図である。
【図２】ベースデザイン部分１１０の輪郭と外方強調デザイン部分１２０の輪郭を合せた合成輪郭線を簡単に説明する図である。
【図３】レーザー照射による熱切断処理が行われてエッジが形成される様子を簡単に示す図である。
【図４】実施例２におけるバナー幕１００の熱切断処理を簡単に示す図である。
【図５】実施例３におけるバナー幕１００の熱切断処理を簡単に示す図である。
【図６】従来ののぼり旗（特開２００１−１８８４９２号）の構成を簡単に示す図である。
【符号の説明】
【００４２】
１００  バナー幕
１１０  ベースデザイン部分
１２０  外方強調デザイン部分
１３０  エッジ部１３０
１４０  支持部
１５０  熱可塑性樹脂パウダー
１６０  熱可塑性樹脂フィルム
【図１】
0003186167.tif 000003
【図２】
0003186167.tif 000004
【図３】
0003186167.tif 000005
【図４】
0003186167.tif 000006
【図５】
0003186167.tif 000007
【図６】
0003186167.tif 000008